(57)【要約】【課題】木造軸組工法における隅木や谷木等と、母屋等との取り合い連結に際して、隅木側に取り合い用の切欠凹部を容易に切削形成できる加工装置を提供する。【解決手段】切削刃１４を備えた切削体１３を、当該切削体の所定の平面上を任意方向に切削移動可能に組み込んだ切削体移動部１と、切削対象の隅木及び谷木の保持機構部２とを備え、前記切削体移動部１の切削体移動平面を、切削対象木材の切削面と平行に正対させると共に、木材中心線を通る鉛直面内で前記切削体移動平面が前記木材に対して相対的に傾斜させる傾斜機構（回動軸３）を備えてなる。【選択図】  図４
2004195714.tif 000002
【特許請求の範囲】
【請求項１】
切削刃を備えた切削体を、所定の平面上を任意方向に切削移動可能に組み込んだ切削体移動部と、切削対象の隅木及び谷木の保持機構部とを備え、前記切削体移動部の切削体移動平面を、切削対象木材の切削面と平行に正対させると共に、木材中心線を通る鉛直面内で前記切削体移動平面が前記木材に対して相対的に傾斜させる傾斜機構を備えてなることを特徴とする隅木及び谷木等の欠き加工装置。
【請求項２】
切削方向を切削対象の木材に対して所定の水平回動位置とした切削体移動部を、前記水平面において木材中心線と９０度をなす方向で軸止し、前記水平軸を中心に鉛直面での回動機構を備えてなる請求項１記載の隅木及び谷木の欠き加工装置。
【発明の詳細な説明】
【０００１】
【産業上の利用分野】
本発明は寄せ棟屋根における隅木や谷木の加工装置に関するものである。
【０００２】
【従来の技術】
木造軸組工法において、寄せ棟屋根の隅棟に配置される隅木ａや谷木ｂは、矩形断面の上面部分を山形若しくは谷形に加工したもので、これらの隅木ａ等は、軒桁や母屋（以下「母屋ｃ等」という）との取り合い部において、図７（イ）（ロ）に示すように、母屋ｃの上面に取り合い用の切欠凹部ｄを形成して組み合わされていた。
【０００３】
またこれらの隅木ａ等の取り合い用切欠凹部ｄを切削加工する装置として図９に例示する装置が知られている。この従前の加工装置は、水平固定した切削対象柱（母屋）０１を、切削体（切削面に対して縦軸型と横軸型が知られているが、切削体の移動で面切削となるのでどちらでも良い）０２で切削するもので、切削面を定める手段として、切削体を保持して移動母体となる腕部０３を、水平に配置した傾斜回動軸０４で回転部０５に垂設し、回転部０５と腕部０３の間に前記傾斜回動軸０４で腕部０３が鉛直方向に回動傾斜させる鉛直角度調整部０６を介設し、回転部０５は本体上部０７に連結して腕部０３の水平角度調整を行い、本体上部０７は、上下移動可能に設けている。
【０００４】
切欠凹部ｄの具体的な切削加工は、図１１、１２に例示するとおり、回転部０５の水平回動角度で定まる水平面における回動角度α１と、鉛直角度調整部０６で定まる水平面に対する傾斜角度β１によって、腕部０３の傾斜状態が定まり、切削体０２を腕部０３に添って移動させることで当該取り合い用の切欠凹部ｄを切削形成する。
【０００５】
即ち加工面（切削底面）について、図１０の三次元座標で説明すると、切削対象の上面がｘ−ｙ面と平行で、ｘ−ｙ面（水平面）における回動（回動角度α１）と、ｚ−ｘ面（鉛直面）での回動（回動角度β１）の調整がなされ、当該設定方向で切削加工がなされるもので、加工面（切削底面ｇ）は、常に原点ｏを頂点とする円錐面における稜線ｇ０が接線となる平面ｇとなる。
【０００６】
【発明が解決しようとする課題】
ところで、近年軸組工法において、構造部材の仕口部に接合金具を採用する場合がある。そして図８に例示するとおり、母屋ｃの連結に金具ｅを採用していると、取り合い用の切欠凹部ｄを切削形成しようとした場合に、当該金具ｅが凹部ｄに突出状態となるので、母屋ｃに取り合い用の切欠凹部ｄを形成することができない。
【０００７】
これに対して隅木等ａの方に切欠凹部を加工して取り合い部を形成することが考えられる。この場合に、前記の従来装置では切削面の角度設定が水平面と鉛直面の範囲内での調整（固定された３次元座標上の調整）であり、必要とする切削加工ができない。即ち従来装置において、前記したとおり、鉛直面の回動角度β１と、水平面回動角度α１によって切削底面ｇの傾斜面が一義的に定まってしまう。この切削底面ｇでは、隅木ａの切欠凹部ｆが必要とする傾斜面とは一致しない。一致させるには、更に前記傾斜面ｇを、稜線ｇ０を中心とした回動（捻り）をさせる必要がある（図２ロに示した角度γの回動が必要となる）。具体的な加工装置では、更に腕部０３の傾斜軸方向を中心とした回動調整が必要となるもので従前の加工装置では、機構的に複雑になってしまう。
【０００８】
そこで本発明は、特に隅木等の取り合い用切欠部の切削加工を容易に実現できる加工装置を提案したものである。
【０００９】
【課題を解決する手段】
本発明に係る隅木及び谷木等の欠き加工装置は、切削刃を備えた切削体を、当該切削体の所定の平面上を任意方向に切削移動可能に組み込んだ切削体移動部と、切削対象の隅木及び谷木の保持機構部とを備え、前記切削体移動部の切削体移動平面を、切削対象木材の切削面と平行に正対させると共に、木材中心線を通る鉛直面内で前記切削体移動平面が前記木材に対して相対的に傾斜させる傾斜機構を備えてなることを特徴とするものである。
【００１０】
前記装置の切削面と切削方向の設定原理は、図３（イ）（ロ）（ハ）に例示するとおり、直交するＸ，Ｙ，Ｚの三次元座標で、設定前の切削平面をＸ−Ｙ平面としたとき、この切削面を、Ｙ軸を中心に設定目標平面（Ｘ０−Ｙ平面）に回動させ、このＸ０−Ｙ平面内で任意方向（Ｘ１軸方向）に切削方向を設定できるよう構成したものである。即ち従前装置のように円錐面の稜線を接線とする平面を切削面とするものではなく、Ｚ軸がＺ０軸に変位した三次元座標におけるＸ０−Ｙ平面で切削が実施される。そして切削方向軸Ｘ１とＸ０軸とのなす角度αは、母屋と隅木等の平面投影角度とし、Ｚ軸とＺ０軸の傾斜角度βは、隅木等の水平面からの傾斜角度とする。Ｚ０軸の変位に伴って、切削体移動平面全体が傾斜するので、従前装置で必要となった切削面の捻れ傾斜角γの調整が必然的に不要となる。
【００１１】
【実施の形態】
図４に本発明の実施の形態を示す。実施形態の加工装置は、切削体移動部１と切削対象の隅木及び谷木の加工対象の木材Ａの保持機構部２とで構成される。
【００１２】
切削体移動部１は、円形移動レール１１と、前記円形移動レール１１内で所望方向に指向できるレール１２を備え、前記レール１２に切削体１３を移動自在に組み込み、切削体１３に切削刃１４を組み込んでなる。勿論切削体１３は、自走可能で切削刃１４の駆動機構を付設してなり、切削刃１４は従前の加工装置と同様に横軸型又は縦軸型でも良く、切削体１３の底面側に突設してなる。
【００１３】
更に前記切削体移動部１は、本体（図示せず）に回動自在に装着したもので、回動軸３は、保持機構２で保持された木材の材軸に対して９０度の角度で且つ木材の加工対称基準平面Ｂと平行な面上に設けてなる。
【００１４】
また本体又は保持機構或いは双方が所定の近接が可能な上下移動機構を設け、切削刃１４の動作時（加工時）と、非動作時（加工前、加工後）に切削刃１４が近接離脱するように設ける。
【００１５】
而して木材Ａを保持機構２に、所定位置に保持固定させ、円形移動レール１１を所定の角度（母屋と隅木等の平面投影角度）αに設定して固定し、更に切削体移動部１の全体を回動軸３を中心に所定の角度（隅木等の水平面からの傾斜角度）βに設定して固定し、切削体移動部１全体を所定位置まで加工させ、切削体１３をレール１２に添って移動させると、図１，２に例示するとおりの予定の切欠凹部Ｇが切削加工によって形成される。
【００１６】
即ち図１において、従来装置での加工では、研削刃の状態が点線表示であり、本願発明では、実線表示の研削刃１４の位置となる。
【００１７】
尚切削体移動部１に回動軸を設けて傾斜角を設定することに代えて、木材保持機構を材軸中心を通る鉛直面で傾斜駆動調整するようにしても良い。
【００１８】
【実施例】
図５，６は本発明の実施例装置で、特に母屋と隅木等の平面投影角度が多用される４５度に固定した装置の例である。
【００１９】
装置全体は、切削体移動部４と、切削体移動部４を組み込む本体部５と、木材保持機構部６とで構成される。
【００２０】
切削体移動部４は、枠部４１に切削体４２を組み込んだもので、枠部４１にガイドレール４３を架設し、当該ガイドレール４３に切削体４２を移動自在に装着してなる。切削体４２は底面に切削刃を設けると共に、切削刃の駆動機構を付設し、且つ前記ガイドレール４３に添って移動するものである。
【００２１】
前記の切削体移動部４は、門構えとした本体部５に組み込むもので、この組み込みは、木材保持機構部６の水平面（加工対象材木Ａの基準上面）で、ガイドレール４３が４５度の角度をなした状態で、加工対象材木（隅木等）Ａの材軸中心と９０度交差する位置で、本体部５の柱部５１間に回動軸５２で軸支し、且つ枠部４１の一部と本体部５の上部横柱５３との間に、長さ調整機構（β角調整機構）５４を設けてなる。
【００２２】
また材木保持機構部６は、加工対象木材Ａを保持固定するもので、必要に応じて保持テーブルを上下調整できるようにする。材木Ａの太さが一定の場合には固定テーブルでも良い。
【００２３】
而して材木Ａをテーブル（保持機構部）に固定し、長さ調整機構５４を調整して所望のβ角を設定し、切削体４２をガイドレール４３に添って移動させて所定の切削加工を行うと、加工対象木材（隅木等）Ａに取り合い用の切欠凹部Ｄが容易に形成できるものである。
【００２４】
更に前記枠部４１内に研削体４２のガイドレール等のガイド機構を、直交する２方向に切削体が移動できるように設けて装備させて、切削体４２を選択的に駆動させるようにすると、母屋の角部に対応する取り合い用の切欠凹部も容易に形成できる。
【００２５】
【発明の効果】
以上のように本発明は、切削刃を備えた切削体を、所定の平面上を任意方向に切削移動可能に組み込んだ切削体移動部と、切削対象の隅木及び谷木の保持機構部とを備え、前記切削体移動部を、切削対象木材の切削面と正対させると共に、木材中心線を通る鉛直面上で前記切削体移動部を前記木材に対して相対的に傾斜させる傾斜機構を備えてなる隅木及び谷木等の欠き加工装置で、切削体移動部内で母屋と隅木等の水平面投影角度αを設定し、傾斜機構で隅木等の水平面からの傾斜角度βを設定することで、従来装置では容易に実現できない隅木などの取り合い用切欠凹部の加工を容易に行えるようにしたものである。
【図面の簡単な説明】
【図１】本発明の切削加工形状の説明斜視図。
【図２】同説明図で、（イ）は平面図（ロ）はＭ−Ｍ断面図（ハ）はＮ−Ｎ断面図。
【図３】同切削体の動作原理説明図で、（イ）は平面図（ロ）は正面図（ハ）は斜視図。
【図４】同実施形態の斜視図。
【図５】同実施例の正面図。
【図６】同実施例の側面図。
【図７】従来の隅木等の取り合い箇所の説明図。
【図８】同連結金具使用の場合の取り合い箇所の説明図。
【図９】従来の加工装置の説明図。
【図１０】従来の加工装置の動作説明図。
【図１１】従来装置での加工形状の説明斜視図。
【図１２】同説明図で、（イ）は平面図（ロ）はｍ−ｍ断面図（ハ）はｎ−ｎ断面図。
【符号の説明】
１        切削体移動部
１１      円形移動レール
１２      レール
１３      切削体
１４      切削刃
２        保持機構
３        回動軸
４        切削体移動部
４１      枠部
４２      切削体
４３      ガイドレール
５        本体部
５１      柱部
５２      回動軸
５３      上部横柱
５４      長さ調整機構（β角調整機構）
６        材木保持機構部
【図１】
2004195714.tif 000003
【図２】
2004195714.tif 000004
【図３】
2004195714.tif 000005
【図４】
2004195714.tif 000006
【図５】
2004195714.tif 000007
【図６】
2004195714.tif 000008
【図７】
2004195714.tif 000009
【図８】
2004195714.tif 000010
【図９】
2004195714.tif 000011
【図１０】
2004195714.tif 000012
【図１１】
2004195714.tif 000013
【図１２】
2004195714.tif 000014